(57)【要約】【課題】簡素な構成で、回路計に接続するだけで、測定レンジの選択の誤りを確実に検出して誤操作を防止することができ、既存の回路計を有効利用することができ、使用性、汎用性、省資源性に優れる回路計用警報器の提供。【解決手段】少なくとも電圧、電流、抵抗のいずれかを選択的に測定することが可能な回路計に着脱自在に接続される回路計用警報器であって、（ａ）感度調整用抵抗と、感度調節用抵抗に電流が流れた時に発生する電圧を検出する電圧検出部と、電圧検出部で設定値以上の電圧を検出した時に警報を発する警報部と、感度調整用抵抗を短絡する測定開始スイッチと、を有する測定補助回路と、（ｂ）測定補助回路の感度調節用抵抗の一端側と回路計のコモン端子を電気的に接続するコモン端子接続部と、（ｃ）測定補助回路の感度調節用抵抗の他端側に電気的に接続されたコモン側測定端子部と、を備えている。【選択図】図１
0003166968.tif 000002
【実用新案登録請求の範囲】
【請求項１】
少なくとも電圧、電流、抵抗のいずれかを選択的に測定することが可能な回路計に着脱自在に接続される回路計用警報器であって、
（ａ）感度調整用抵抗と、前記感度調節用抵抗に電流が流れた時に発生する電圧を検出する電圧検出部と、前記電圧検出部で設定値以上の電圧を検出した時に警報を発する警報部と、前記感度調整用抵抗を短絡する測定開始スイッチと、を有する測定補助回路と、
（ｂ）前記測定補助回路の前記感度調節用抵抗の一端側と前記回路計のコモン端子を電気的に接続するコモン端子接続部と、
（ｃ）前記測定補助回路の前記感度調節用抵抗の他端側に電気的に接続されたコモン側測定端子部と、
を備えたことを特徴とする回路計用警報器。
【請求項２】
前記測定補助回路の前記電圧検出部及び前記警報部の動作確認を行うためのテストスイッチを備えたことを特徴とする請求項１に記載の回路計用警報器。
【請求項３】
少なくとも電圧、電流、抵抗のいずれかを選択的に測定することが可能な警報器付回路計であって、
使用者が測定レンジを選択することにより電圧測定、電流測定、抵抗測定のいずれかの入力回路とコモン端子との間に選択的に接続される感度調整用抵抗と、前記感度調節用抵抗に電流が流れた時に発生する電圧を検出する電圧検出部と、前記電圧検出部で設定値以上の電圧を検出した時に警報を発する警報部と、前記感度調整用抵抗を短絡する測定開始スイッチと、を有する測定補助回路を内蔵したことを特徴とする警報器付回路計。
【請求項４】
前記測定補助回路の前記電圧検出部及び前記警報部の動作確認を行うためのテストスイッチを備えたことを特徴とする請求項３に記載の警報器付回路計。
【考案の詳細な説明】
【技術分野】
【０００１】
本考案は、既存の回路計に接続して誤操作を防止する回路計用警報器及びその誤操作防止機能を内蔵した警報器付回路計に関するものである。
【背景技術】
【０００２】
従来、被測定回路の電圧、電流、抵抗などの測定には回路計（テスタ）が用いられている。特に、電圧、電流、抵抗などを一台で測定できる回路計は、一般にマルチメータと呼ばれ、測定レンジを切り替えるためのファンクション切替スイッチを有している。そして、使用者がロータリスイッチなどのファンクション切替スイッチを操作して測定レンジを切り替えることにより、内蔵された電圧測定回路、電流測定回路、抵抗測定回路などの何れかの回路が選択され、交流および直流の電圧、電流測定を初めとして、抵抗測定や周波数測定などを行なうことができる。ここで、電圧測定回路は被測定回路の所定部位間の電圧を計測する回路であるため、高インピーダンス回路となっており、電流測定回路や抵抗測定回路などは測定のための電力消費を可及的に低減するために低インピーダンス回路となっている。また、抵抗測定回路は被測定回路の抵抗測定部位に測定電流を供給するための抵抗測定用電源を内蔵している。
測定においては、一対のテストリードの一方をコモン端子に接続し、他方のテストリードを電圧入力端子或いは電流入力端子のいずれかに差し込むが、電流測定や抵抗測定の入力回路はインピーダンスが低いため、電流レンジや抵抗レンジを選択し、テストリードを電流入力端子に接続した状態で、誤って被測定回路の電圧を測定した場合には、地絡が発生するという問題点があった。
特に、被測定回路の検査において、各種条件で所定部位の電圧、抵抗を測定する際に、測定レンジを切替えるのを忘れたまま間違った測定を行うことがあり、設備の誤動作、回路計の焼損、短絡による災害などが発生する可能性があるため、様々な事故防止対策が検討されている。
例えば、（特許文献１）には、「電圧乃至抵抗の測定モードを選択する測定レンジと、測定レンジが抵抗を測定するための抵抗レンジになっていることを検出する抵抗レンジ検出手段と、抵抗レンジであることが検出されている場合において、被測定回路に測定用リード線をそれぞれ接触させた状態で測定用リード線間に所定の電圧以上の電圧が印加されている場合には、高インピーダンス要素が測定用リード線間に接続されるように動作するとともに警報手段を動作させて当該状態を告知する電圧検出手段と、抵抗レンジであることが検出されている場合において、電圧検出手段が不動作の場合には被測定回路の抵抗を測定する抵抗測定回路が形成されるように動作するとともに、電圧検出手段を回路から切離す抵抗測定選択手段とを有することを特徴とするテスター。」が開示されている。
【特許文献１】特開２００８−２８１３７１号公報
【考案の開示】
【考案が解決しようとする課題】
【０００３】
しかしながら上記従来の技術は、以下のような課題を有していた。
（１）（特許文献１）は、新たに回路計（テスタ）を作製しなければならないため、従来の回路計を有効に利用することができず、省資源性に欠けるという課題を有していた。
（２）また、回路計内部に抵抗レンジ検出手段や抵抗測定選択手段などが必要で回路が複雑になり、動作も煩雑で、量産性、動作の安定性に欠けるという課題を有していた。
【０００４】
本考案は上記従来の課題を解決するもので、簡素な構成で、回路計に接続するだけで、測定レンジの選択の誤りを確実に検出して誤操作を防止することができ、既存の回路計を有効利用することができ、使用性、汎用性、省資源性に優れる回路計用警報器の提供、及び簡素な回路で、測定レンジの選択の誤りを確実に検出して誤操作を防止することができ、量産性、動作の確実性、安定性に優れる警報器付回路計の提供を目的とする。
【課題を解決するための手段】
【０００５】
上記従来の課題を解決するために本考案の回路計用警報器及び警報器付回路計は、以下の構成を有している。
本考案の請求項１に記載の回路計用警報器は、少なくとも電圧、電流、抵抗のいずれかを選択的に測定することが可能な回路計に着脱自在に接続される回路計用警報器であって、（ａ）感度調整用抵抗と、前記感度調節用抵抗に電流が流れた時に発生する電圧を検出する電圧検出部と、前記電圧検出部で設定値以上の電圧を検出した時に警報を発する警報部と、前記感度調整用抵抗を短絡する測定開始スイッチと、を有する測定補助回路と、（ｂ）前記測定補助回路の前記感度調節用抵抗の一端側と前記回路計のコモン端子を電気的に接続するコモン端子接続部と、（ｃ）前記測定補助回路の前記感度調節用抵抗の他端側に電気的に接続されたコモン側測定端子部と、を備えた構成を有している。
この構成により、以下のような作用が得られる。
（１）測定補助回路の感度調節用抵抗の一端側と回路計のコモン端子を電気的に接続するコモン端子接続部と、測定補助回路の感度調節用抵抗の他端側に電気的に接続されたコモン側測定端子部を有することにより、コモン端子接続部を回路計のコモン端子に接続し、コモン側測定端子部を被測定回路の測定部位に電気的に接続して電圧測定を行う時に、電圧が感度調節用抵抗に印加されるので、回路計内部の回路に高電圧が印加されることがなく、回路計の焼損などを防止でき、安全性に優れる。
（２）測定補助回路が、感度調整用抵抗と、感度調節用抵抗に電流が流れた時に発生する電圧を検出する電圧検出部と、電圧検出部で設定値以上の電圧を検出した時に警報を発する警報部を有するので、電流レンジや抵抗レンジを選択した状態で、被測定回路の電圧を測定しようとした時に、警報を発して、使用者に測定レンジの選択の誤りを知らせて、正しい測定レンジの選択を促すことができ、地絡の発生、設備の誤動作、回路計の焼損、短絡による災害の発生等を防止することができ、安全性、測定の信頼性に優れる。
（３）測定補助回路が、感度調整用抵抗を短絡する測定開始スイッチを有するので、電圧測定時に正しい電圧レンジが選択され、警報を発しない時には、測定開始スイッチを操作するだけで、直ちに感度調整用抵抗を短絡し、被測定回路の電圧を回路計の電圧測定回路に印加して電圧測定を行うことができ、操作性、動作の確実性に優れる。
（４）測定補助回路の感度調節用抵抗の一端側と回路計のコモン端子を電気的に接続するコモン端子接続部を有するので、既存の回路計に簡便に接続することができ、接続作業性、着脱作業性に優れる。
（５）測定補助回路の感度調節用抵抗の他端側に電気的に接続されたコモン側測定端子部を有するので、被測定回路の測定部位の電圧、電流、抵抗などを簡便に測定することができ、使用性に優れる。
【０００６】
ここで、感度調整用抵抗は、１ＭΩ〜１０ＭΩ程度の高抵抗とすることが好ましい。これにより、回路計側で、測定レンジとして電流レンジや抵抗レンジなどが選択されている場合は、低インピーダンスの入力回路である電流測定回路や抵抗測定回路と感度調整用抵抗が接続され、高電圧が印加されても、電圧検出部で検出可能で安全な微小電流しか流れることがなく、確実に感度調整用抵抗の両端に発生する電圧を検出して警報を発することができる。また、回路計側で、測定レンジとして電圧レンジなどが選択されている場合は、高インピーダンスの入力回路である電圧測定回路と感度調整用抵抗が接続され、感度調整用抵抗に流れる電流が極めて小さく、電圧検出部で検出される電圧が設定値より小さくなるため、警報を発することがない。
【０００７】
警報部は、使用者に測定レンジの選択の誤りを報知できるものであればよい。音（ブザー）や光（ＬＥＤなどの点滅や点灯）などで報知するものが好適に用いられるが、表示部に文字などで表示してもよいし、これらを組合せてもよい。尚、回路計用警報器は、警報部に電力を供給するための電源（電池）を内蔵している。
測定開始スイッチは、使用者が測定開始時に操作することにより、感度調整用抵抗を短絡することができるものであればよい。
コモン端子接続部の形状は、回路計のコモン端子の形状に応じて、適宜、選択することができる。
コモン側測定端子部は、初めからリード線の先端に測定用端子が配設されたものでもよいし、既存のテストリードが着脱可能なジャックなどの接続端子のみを備えたものでもよい。
【０００８】
請求項２に記載の考案は、請求項１に記載の回路計用警報器であって、前記測定補助回路の前記電圧検出部及び前記警報部の動作確認を行うためのテストスイッチを備えた構成を有している。
この構成により、請求項１で得られる作用に加え、以下のような作用が得られる。
（１）測定補助回路の電圧検出部及び警報部の動作確認を行うためのテストスイッチを有するので、使用前に電圧検出部及び警報部が正常に動作するかどうかを確認することができ、電圧検出部や警報部の動作不良により、測定レンジの選択の誤りを見落とすことがなく、動作の確実性、信頼性に優れる。
【０００９】
ここで、テストスイッチは、内蔵した電源の電圧を感度調節用抵抗に印加するものである。これにより、回路計用警報器の使用前に、電圧検出部が感度調節用抵抗に印加される電圧を正しく検出できることや電圧を検出した時に警報部が警報を発することを確認することができ、回路が正常に動作することをテストすることができ、信頼性、安全性に優れる。また、内蔵された電源（電池）が消耗していないことも確認することができ、動作の安定性、メンテナンス性に優れる。
【００１０】
本考案の請求項３に記載の警報器付回路計は、少なくとも電圧、電流、抵抗のいずれかを選択的に測定することが可能な警報器付回路計であって、使用者が測定レンジを選択することにより電圧測定、電流測定、抵抗測定のいずれかの入力回路とコモン端子との間に選択的に接続される感度調整用抵抗と、前記感度調節用抵抗に電流が流れた時に発生する電圧を検出する電圧検出部と、前記電圧検出部で設定値以上の電圧を検出した時に警報を発する警報部と、前記感度調整用抵抗を短絡する測定開始スイッチと、を有する測定補助回路を内蔵した構成を有している。
この構成により、以下のような作用が得られる。
（１）電圧測定、電流測定、抵抗測定のいずれかの入力回路とコモン端子との間に接続されるコモン側測定端子部を有することにより、コモン端子にテストリードを接続し、テストリードの測定用端子を被測定回路の測定部位に電気的に接続して電圧測定を行う時に、電圧が感度調節用抵抗に印加されるので、回路計内部の回路に高電圧が印加されることがなく、回路の焼損などを防止でき、安全性に優れる。
（２）測定補助回路が、感度調節用抵抗に電流が流れた時に発生する電圧を検出する電圧検出部と、電圧検出部で設定値以上の電圧を検出した時に警報を発する警報部を有するので、電流レンジや抵抗レンジを選択した状態で、被測定回路の電圧を測定しようとした時に、警報を発して、使用者に測定レンジの選択の誤りを知らせて、正しい測定レンジの選択を促すことができ、地絡の発生、設備の誤動作、回路の焼損、短絡による災害の発生等を防止することができ、安全性、測定の信頼性に優れる。
（３）測定補助回路が、感度調整用抵抗を短絡する測定開始スイッチを有するので、電圧測定時に正しい電圧レンジが選択され、警報を発しない時には、測定開始スイッチを操作するだけで、直ちに感度調整用抵抗を短絡し、被測定回路の電圧を回路計内部の電圧測定回路に印加して電圧測定を行うことができ、操作性、動作の確実性に優れる。
【００１１】
ここで、この警報器付回路計は、請求項１の回路計用警報器の測定補助回路を回路計本体の内部に内臓したものであり、測定補助回路の構成及び動作などは請求項１と同様なので説明を省略する。
【００１２】
請求項４に記載の考案は、請求項３に記載の警報器付回路計であって、前記測定補助回路の前記電圧検出部及び前記警報部の動作確認を行うためのテストスイッチを備えた構成を有している。
この構成により、請求項３で得られる作用に加え、請求項２と同様の作用が得られる。
ここで、テストスイッチは、請求項２で説明したものと同様なので、説明を省略する。
【考案の効果】
【００１３】
以上のように、本考案の回路計用警報器及び警報器付回路計によれば、以下のような有利な効果が得られる。
請求項１に記載の考案によれば、以下のような有利な効果が得られる。
（１）既存の回路計に簡便に接続することができ、回路計で電流レンジや抵抗レンジを選択した状態で誤って被測定回路の電圧を測定しようとした時には、警報を発して使用者に測定レンジの選択の誤りを知らせて、正しい測定レンジの選択を促すことができると共に、正しい電圧レンジを選択して被測定回路の電圧を測定しようとした時には、警報を発することがなく、測定開始スイッチを操作するだけで、直ちに感度調整用抵抗を短絡して電圧測定を行うことができ、地絡の発生、設備の誤動作、回路計の焼損、短絡による災害の発生等を防止することができる安全性、測定の信頼性に優れた回路計用警報器を提供することができる。
【００１４】
請求項２に記載の考案によれば、請求項１に記載の効果に加えて以下のような有利な効果が得られる。
（１）使用前に電圧検出部及び警報部が正常に動作することを確認することができ、測定レンジの選択の誤りを見落とすことがない動作の確実性、信頼性に優れた回路計用警報器を提供することができる。
【００１５】
請求項３に記載の考案によれば、以下のような有利な効果が得られる。
（１）電流レンジや抵抗レンジを選択した状態で誤って被測定回路の電圧を測定しようとした時には、警報を発して使用者に測定レンジの選択の誤りを知らせて、正しい測定レンジの選択を促すことができると共に、正しい電圧レンジを選択して被測定回路の電圧を測定しようとした時には、警報を発することがなく、測定開始スイッチを操作するだけで、直ちに感度調整用抵抗を短絡して電圧測定を行うことができ、地絡の発生、設備の誤動作、内部回路の焼損、短絡による災害の発生等を防止することができる安全性、測定の信頼性に優れた警報器付回路計を提供することができる。
【００１６】
請求項４に記載の考案によれば、請求項２又は３に記載の効果に加えて以下のような有利な効果が得られる。
（１）使用前に電圧検出部及び警報部が正常に動作することを確認することができ、測定レンジの選択の誤りを見落とすことのない動作の確実性、信頼性に優れた警報器付回路計を提供することができる。
【図面の簡単な説明】
【００１７】
【図１】実施の形態１の回路計用警報器の構成図
【図２】実施の形態１の回路計用警報器の使用状態を示す模式平面図
【図３】（ａ）実施の形態３の回路計用警報器を示す底面側模式斜視図（ｂ）実施の形態３の回路計用警報器の使用状態を示す模式平面図
【図４】実施の形態４の回路計用警報器の使用状態を示す模式平面図
【考案を実施するための最良の形態】
【００１８】
以下、本考案の実施の形態における回路計用警報器及び警報器付回路計について、図面を参照しながら説明する。
（実施の形態１）
実施の形態１における回路計用警報器について説明する。
図１は実施の形態１の回路計用警報器の構成図である。
図１中、１は実施の形態１の回路計用警報器、２は回路計用警報器１の測定補助回路、３は測定補助回路２の１ＭΩの感度調整用抵抗、４は感度調節用抵抗３に電流が流れた時に発生する電圧を検出する測定補助回路２の電圧検出部、５は電圧検出部４で設定値以上の電圧を検出した時にブザー５ａ及びＬＥＤ５ｂにより警報を発する測定補助回路２の警報部、６は測定補助回路２の警報部５に電力を供給するために内蔵された電池などの電源部、７は電圧検出部４及び警報部５の動作確認を行うための測定補助回路２のテストスイッチ、８は感度調整用抵抗３を短絡する測定補助回路２の測定開始スイッチ、９は測定補助回路２の感度調節用抵抗３の一端側と回路計のコモン端子を電気的に接続する回路計用警報器１のコモン端子接続部、１０は測定補助回路２の感度調節用抵抗３の他端側に電気的に接続されテストリードが着脱自在に挿抜されるジャック（接続端子）を備えた回路計用警報器１のコモン側測定端子部、１１は回路計の電圧測定端子や電流測定端子に選択的に接続される回路計用警報器１の回路計端子接続部、１２は回路計端子接続部１１と電気的に接続されテストリードが着脱自在に挿抜されるジャック（接続端子）を備えた回路計用警報器１の測定端子部である。
【００１９】
以上のように構成された実施の形態１の回路計用警報器の使用方法について説明する。
図２は、実施の形態１の回路計用警報器の使用状態を示す模式平面図である。
図２中、２０は回路計用警報器１が接続されるデジタルマルチメータなどの回路計、２１は回路計２０の測定レンジを切り替えるためのファンクション切替スイッチ、２２は回路計２０で測定した測定値などを表示するための表示部、２３は回路計２０のコモン端子、２４は回路計２０の電圧端子、２５ａ，２５ｂはレンジの異なる電流端子、３０ａ，３０ｂは一対のテストリード、３１はテストリード３０ａ，３０ｂの先端に配設された測定用端子としてのワニ口クリップである。
図２においては、回路計用警報器１のコモン端子接続部９が回路計２０のコモン端子２３に接続され、回路計用警報器１の回路計端子接続部１１が回路計２０の電圧端子２４に接続されている。また、回路計用警報器１のコモン側測定端子部１０にはテストリード３０ａが接続され、回路計用警報器１の測定端子部１２にはテストリード３０ｂが接続されている。
【００２０】
まず、測定（使用）開始前に、テストスイッチ７を押下して、電圧検出部４及び警報部５の動作確認を行う。
テストスイッチ７を押下することにより、内蔵した電源６から予め設定した設定値以上の電圧が感度調節用抵抗３に印加されるので、電源６が消耗しておらず、電圧検出部４及び警報部５に不良がなければ、ブザー５ａ及びＬＥＤ５ｂにより警報が発せられる。
電圧検出部４及び警報部５が正常に動作していれば、測定（使用）を開始する。
【００２１】
正しい電圧測定では、図２の状態で、回路計２０のファンクション切替スイッチ２１で電圧レンジが選択されており、テストリード３０ａ，３０ｂのワニ口クリップ３１が被測定回路（図示せず）の測定部位に接続されている。電圧レンジなどが選択されることにより、回路計２０の内部の高インピーダンスの入力回路である電圧測定回路と、感度調整用抵抗３が接続されるので、感度調整用抵抗３に流れる電流は極めて小さくなる。よって、この状態でテストスイッチ７を押下して電圧検出部４で感度調節用抵抗３の両端に発生する電圧を測定しても、検出される電圧が設定値より小さくなるため、警報部５が警報を発することはない。そこで、正しい測定レンジが選択されていると判断した使用者が、測定開始スイッチ８を押下して感度調整用抵抗３を短絡する（図１参照）と、被測定回路の電圧が回路計２０の電圧測定回路に印加され、電圧測定を行うことができる。
【００２２】
回路計２０のファンクション切替スイッチ２１で電流レンジや抵抗レンジを選択し、回路計用警報器１の回路計端子接続部１１を回路計２０の電流端子２５ａ，２５ｂのいずれかに接続した状態で、誤って被測定回路の電圧を測定しようとした場合、回路計２０の内部の低インピーダンスの入力回路である電流測定回路や抵抗測定回路と、感度調整用抵抗３が接続されているので、テストスイッチ７を押下すると、感度調整用抵抗３には正しい電圧測定時よりも高い電圧、即ち設定値以上の電圧が印加される。その結果、警報部５のブザー５ａやＬＥＤ５ｂにより、警報が発せられ、使用者に謝った測定レンジが選択されていることを知らせることができる。
尚、このとき感度調整用抵抗３の値が十分に大きいので、安全な微小電流しか流れることがなく、回路の焼損を防止することができる。
【００２３】
本実施の形態では、回路計用警報器１はジャック状のコモン側測定端子部１０及び測定端子部１２を備えており、既存のテストリード３０ａ，３０ｂを着脱できる構成としたが、コモン側測定端子部及び測定端子部として、初めからリード線の先端に測定用端子が配設された構成としてもよい。
また、コモン端子接続部９及び回路計端子接続部１１は、リード線の先端に、回路計２０のソケット状のコモン端子２３及び電圧端子２４に挿抜自在に接続されるジャック状の端子を備えているが、コモン端子接続部９及び回路計端子接続部１１の形状は、本実施の形態に限定されるものではなく、回路計２０のコモン端子２３及び電圧端子２４の形状に応じて、適宜、選択することができる。
【００２４】
以上のように実施の形態１における回路計用警報器は構成されているので、以下のような作用が得られる。
（１）測定補助回路の感度調節用抵抗の一端側と回路計のコモン端子を電気的に接続するコモン端子接続部と、測定補助回路の感度調節用抵抗の他端側に電気的に接続されたコモン側測定端子部を有することにより、コモン端子接続部を回路計のコモン端子に接続し、コモン側測定端子部を被測定回路の測定部位に電気的に接続して電圧測定を行う時に、電圧が感度調節用抵抗に印加されるので、回路計内部の回路に高電圧が印加されることがなく、回路計の焼損などを防止でき、安全性に優れる。
（２）測定補助回路が、感度調整用抵抗と、感度調節用抵抗に電流が流れた時に発生する電圧を検出する電圧検出部と、電圧検出部で設定値以上の電圧を検出した時に警報を発する警報部を有するので、電流レンジや抵抗レンジを選択した状態で、被測定回路の電圧を測定しようとした時に、警報を発して、使用者に測定レンジの選択の誤りを知らせて、正しい測定レンジの選択を促すことができ、地絡の発生、設備の誤動作、回路計の焼損、短絡による災害の発生等を防止することができ、安全性、測定の信頼性に優れる。
（３）測定補助回路が、感度調整用抵抗を短絡する測定開始スイッチを有するので、電圧測定時に正しい電圧レンジが選択され、警報を発しない時には、測定開始スイッチを操作するだけで、直ちに感度調整用抵抗を短絡し、被測定回路の電圧を回路計の電圧測定回路に印加して電圧測定を行うことができ、操作性、動作の確実性に優れる。
（４）測定補助回路の感度調節用抵抗の一端側と回路計のコモン端子を電気的に接続するコモン端子接続部を有するので、既存の回路計に簡便に接続することができ、接続作業性、着脱作業性に優れる。
（５）測定補助回路の感度調節用抵抗の他端側に電気的に接続されたコモン側測定端子部を有するので、被測定回路の測定部位の電圧、電流、抵抗などを簡便に測定することができ、使用性に優れる。
（６）測定補助回路の電圧検出部及び警報部の動作確認を行うためのテストスイッチを有するので、使用前に電圧検出部及び警報部が正常に動作するかどうかを確認することができ、電圧検出部や警報部の動作不良により、測定レンジの選択の誤りを見落とすことがなく、動作の確実性、信頼性に優れる。
【００２５】
（実施の形態２）
実施の形態２における警報器付回路計について説明する。
実施の形態２の警報器付回路計は、実施の形態１の回路計用警報器１の測定補助回路２（図１参照）をデジタルマルチメータなどの回路計本体に内蔵したものである。
具体的には、使用者が回路計本体の測定レンジを選択した時に、回路計本体に内蔵された電圧測定、電流測定、抵抗測定のいずれかの入力回路と、コモン端子２３との間に感度調整用抵抗３が選択的に接続されるように、回路計本体に測定補助回路２が内蔵されている。
回路計本体に測定補助回路２が内蔵されているので、使用者は通常の回路計と同様に、コモン端子２３と、電圧端子２４又は電流端子２５ａ，２５ｂのいずれかに、一対のテストリード３０ａ，３０ｂを接続し、測定を行うことができる。
尚、実施の形態２の警報器付回路計における測定補助回路２の動作や具体的な測定方法（使用方法）は、実施の形態１の回路計用警報器１を接続した回路計２０と同様なので、説明を省略する。
【００２６】
以上のように実施の形態２における警報器付回路計は構成されているので、以下のような作用が得られる。
（１）電圧測定、電流測定、抵抗測定のいずれかの入力回路とコモン端子との間に接続されるコモン側測定端子部を有することにより、コモン端子にテストリードを接続し、テストリードの測定用端子を被測定回路の測定部位に電気的に接続して電圧測定を行う時に、電圧が感度調節用抵抗に印加されるので、回路計内部の回路に高電圧が印加されることがなく、回路の焼損などを防止でき、安全性に優れる。
（２）測定補助回路が、感度調節用抵抗に電流が流れた時に発生する電圧を検出する電圧検出部と、電圧検出部で設定値以上の電圧を検出した時に警報を発する警報部を有するので、電流レンジや抵抗レンジを選択した状態で、被測定回路の電圧を測定しようとした時に、警報を発して、使用者に測定レンジの選択の誤りを知らせて、正しい測定レンジの選択を促すことができ、地絡の発生、設備の誤動作、回路の焼損、短絡による災害の発生等を防止することができ、安全性、測定の信頼性に優れる。
（３）測定補助回路が、感度調整用抵抗を短絡する測定開始スイッチを有するので、電圧測定時に正しい電圧レンジが選択され、警報を発しない時には、測定開始スイッチを操作するだけで、直ちに感度調整用抵抗を短絡し、被測定回路の電圧を回路計内部の電圧測定回路に印加して電圧測定を行うことができ、操作性、動作の確実性に優れる。
（４）測定補助回路の電圧検出部及び警報部の動作確認を行うためのテストスイッチを有するので、使用前に電圧検出部及び警報部が正常に動作するかどうかを確認することができ、電圧検出部や警報部の動作不良により、測定レンジの選択の誤りを見落とすことがなく、動作の確実性、信頼性に優れる。
【００２７】
（実施の形態３）
実施の形態３における回路計用警報器について説明する。尚、実施の形態１と同様のものには同一の符号を付して説明を省略する。
図３（ａ）は実施の形態３の回路計用警報器を示す底面側模式斜視図であり、図３（ｂ）は実施の形態３の回路計用警報器の使用状態を示す模式平面図である。
図３において、実施の形態３における回路計用警報器１ａが実施の形態１と異なるのは、ジャック状のコモン端子接続部９ａ及び回路計端子接続部１１ａが、回路計用警報器１ａの本体に直接、配設されており、リード線を省略している点である。
これにより、回路計用警報器１ａを回路計２０に直付けすることができ、回路計２０専用の回路計用警報器１ａとして使用することができる。
実施の形態２の回路計用警報器１ａの使用方法は、実施の形態１の回路計用警報器１の使用方法と同様なので、説明を省略する。
以上のように実施の形態２における回路計用警報器は構成されているので、実施の形態１と同様の作用が得られる。
【００２８】
（実施の形態４）
実施の形態４における回路計用警報器について説明する。尚、実施の形態１と同様のものには同一の符号を付して説明を省略する。
図４は実施の形態４の回路計用警報器の使用状態を示す模式平面図である。
図４において、実施の形態４における回路計用警報器１ｂが実施の形態１と異なるのは、先端にワニ口クリップ３１を備えたテストリード３０ａ等が着脱自在に配設されるジャック状のコモン側測定端子部１０の代わりに、回路計用警報器１ｂの本体にプローブ状のコモン側測定端子部１０ａが配設されている点と、回路計端子接続部１１及び測定端子部１２を省略し、既存のテストリード３０ｂを直接、回路計２０の電圧端子２４や電流端子２５ａ，２５ｂに接続するようにした点である。
尚、コモン側測定端子部１０ａの形状は、適宜、選択することができ、プローブ状のコモン側測定端子部１０ａの代わりに、リード線の先端にワニ口クリップなどの測定用端子が配設された構成としてもよいし、実施の形態１と同様に、ジャック状のコモン側測定端子部１０を設け、既存のテストリード３０ａなどを着脱できる構成としてもよい。
実施の形態４の回路計用警報器１ｂの使用方法は、実施の形態１の回路計用警報器１の使用方法と同様なので、説明を省略する。
【００２９】
以上のように実施の形態４における回路計用警報器は構成されているので、実施の形態１と同様の作用に加え、以下の作用が得られる。
（１）回路計端子接続部１１及び測定端子部１２を省略することにより、回路計用警報器１ｂの構造を簡素化して小型化することができ、量産性、取扱い性に優れる。
【産業上の利用可能性】
【００３０】
本考案は、簡素な構成で、回路計に接続するだけで、測定レンジの選択の誤りを確実に検出して誤操作を防止することができ、既存の回路計を有効利用することができ、使用性、汎用性、省資源性に優れる回路計用警報器の提供、及び簡素な回路で、測定レンジの選択の誤りを確実に検出して誤操作を防止することができ、量産性、動作の確実性、安定性に優れる警報器付回路計の提供を行うことができ、被測定対象となる設備の誤動作、回路計の焼損、短絡による災害などの発生を確実かつ効果的に防ぐことができる。
【符号の説明】
【００３１】
１，１ａ，１ｂ  回路計用警報器
２  測定補助回路
３  感度調整用抵抗
４  電圧検出部
５  警報部
５ａ  ブザー
５ｂ  ＬＥＤ
６  電源部
７  テストスイッチ
８  測定開始スイッチ
９，９ａ  コモン端子接続部
１０，１０ａ  コモン側測定端子部
１１，１１ａ  回路計端子接続部
１２  測定端子部
２０  回路計
２１  ファンクション切替スイッチ
２２  表示部
２３  コモン端子
２４  電圧端子
２５ａ，２５ｂ  電流端子
３０ａ，３０ｂ  テストリード
３１  ワニ口クリップ
【図１】
0003166968.tif 000003
【図２】
0003166968.tif 000004
【図３】
0003166968.tif 000005
【図４】
0003166968.tif 000006